(57)【要約】【課題】受信高周波部と受信制御部とを接続する同軸ケーブル以外のケーブルを準備することなく、受信高周波部にてコンスタレーション等の映像信号を確認する。【解決手段】受信制御部２０においては、映像信号変換器２７が、直交復調器２４で直交復調されたＩ信号およびＱ信号を、受信状況を表すためのコンスタレーション等の映像信号に変換する。さらに、ＦＭ変調器２９が、映像信号を変調して送り返し用ＩＦ信号ｆ２を生成し、分波・合成器２１が、送り返し用ＩＦ信号ｆ２に直流電圧を多重した多重信号を、同軸ケーブル３０を介して受信高周波部１０に出力する。受信高周波部１０においては、分波・合成器１３が、受信制御部２０からの多重信号から送り返し用ＩＦ信号ｆ２を分離し、ＦＭ復調器１４が、送り返し用ＩＦ信号ｆ２をコンスタレーション等の映像信号に復調する。【選択図】図１
2007134965.tif 000002
【特許請求の範囲】
【請求項１】
受信したＳＨＦ信号をＩＦ信号に変換する受信高周波部と、前記ＩＦ信号を復調する受信制御部と、前記受信高周波部と前記受信制御部とを接続する同軸ケーブルとを含む２筐体分離型デジタルＦＰＵ受信装置において、
前記受信制御部は、
前記ＩＦ信号をＩ信号およびＱ信号に直交復調する直交復調手段と、
前記Ｉ信号および前記Ｑ信号を、受信状況を表すための映像信号に変換する映像信号変換手段と、
前記映像信号を変調して変調信号を生成する変調手段と、
前記変調信号に直流電圧を多重した多重信号を、前記同軸ケーブルを介して前記受信高周波部に出力する手段とを有し、
前記受信高周波部は、
前記受信制御部から出力された前記多重信号から前記変調信号を分離する手段と、
前記多重信号から分離された前記変調信号を前記映像信号に復調する復調手段とを有する２筐体分離型デジタルＦＰＵ受信装置。
【請求項２】
前記映像信号は、コンスタレーションを表すための映像信号である、請求項１に記載の２筐体分離型デジタルＦＰＵ受信装置。
【請求項３】
受信したＳＨＦ信号をＩＦ信号に変換する受信高周波部と、前記ＩＦ信号を復調する受信制御部と、前記受信高周波部と前記受信制御部とを接続する同軸ケーブルとを含む２筐体分離型デジタルＦＰＵ受信装置によるデジタルＦＰＵ受信方法であって、
前記受信制御部が、前記ＩＦ信号をＩ信号およびＱ信号に直交復調するステップと、
前記受信制御部が、前記Ｉ信号および前記Ｑ信号を、受信状況を表すための映像信号に変換するステップと、
前記受信制御部が、前記映像信号を変調して変調信号を生成するステップと、
前記受信制御部が、前記変調信号に直流電圧を多重した多重信号を、前記同軸ケーブルを介して前記受信高周波部に出力するステップと、
前記受信高周波部が、前記受信制御部から出力された前記多重信号から前記変調信号を分離するステップと、
前記受信高周波部が、前記多重信号から分離された前記変調信号を前記映像信号に復調するステップとを有するデジタルＦＰＵ受信方法。
【請求項４】
前記映像信号は、コンスタレーションを表すための映像信号である、請求項３に記載のデジタルＦＰＵ受信方法。
【発明の詳細な説明】
【技術分野】
【０００１】
本発明は、２筐体分離型デジタルＦＰＵ（Field Pick-up Unit）受信装置およびデジタルＦＰＵ受信方法に関する。
【背景技術】
【０００２】
最近のデジタルＦＰＵ受信装置の中には、ＳＨＦ（Super High Frequency）信号をＩＦ（intermediate frequency）信号に変換する受信高周波部と、ＩＦ信号を復調する受信制御部との２つの筐体に分離された２筐体分離型デジタルＦＰＵ受信装置がある（例えば、特許文献１参照）。
【０００３】
従来の２筐体分離型デジタルＦＰＵ受信装置の構成について、図２を参照して説明する。
【０００４】
図２を参照すると、従来の２筐体分離型デジタルＦＰＵ受信装置は、受信高周波部１０と、受信制御部２０と、受信高周波部１０と受信制御部２０とを接続する１本の同軸ケーブル３０とを含んでいる。
【０００５】
受信高周波部１０は、受信したＳＨＦ信号を周波数変換することで本線用ＩＦ信号ｆ１に変換する周波数変換器１１と、周波数変換器１１で変換された本線用ＩＦ信号ｆ１を所定のレベルまで増幅するＩＦ増幅器１２と、ＩＦ増幅器１２で増幅された本線用ＩＦ信号ｆ１を同軸ケーブル３０を介して受信制御部２０に出力する分波・合成器１３とを有している。また、分波・合成器１３は、受信制御部２０から同軸ケーブル３０を介して入力された受信高周波部１０用のＤＣ電圧を分離することも行う。
【０００６】
受信制御部２０は、受信高周波部１０から同軸ケーブル３０を介して入力された本線用ＩＦ信号ｆ１を分離する分波・合成器２１と、分波・合成器２１で分離された本線用ＩＦ信号ｆ１を所定のレベルまで増幅するＩＦ増幅器２２と、ＩＦ増幅器２２で増幅された本線用ＩＦ信号ｆ１をデジタル信号に変換するＡ／Ｄ変換器２３と、Ａ／Ｄ変換器２３で変換されたデジタル信号をＩ信号およびＱ信号に直交復調する直交復調器２４と、直交復調器２４で直交復調されたＩ信号およびＱ信号から元の信号を復号するデータ復号器２５と、データ復号器２５で復号された信号を伸張してハイビジョン（以下、ＨＤ）映像信号・音声信号として外部に出力するデコーダ２６と、直交復調器２４で直交復調されたＩ信号およびＱ信号を、受信状況を表すためのコンスタレーション等の映像信号に変換して外部に出力する映像信号変換器２７と、電源部２８とを有している。また、分波・合成器２１は、電源部２８で発生した受信高周波部１０用のＤＣ電圧を同軸ケーブル３０を介して受信高周波部１０に出力することも行う。なお、コンスタレーションとは、Ｉ信号およびＱ信号に応じて座標上にマッピングされる複数個の点からなるものであり、各点の配置や大きさ等に応じて受信状況が良好であるか否かを視覚的に判断することができる。
【特許文献１】特開平１１−３３０８７９号公報
【発明の開示】
【発明が解決しようとする課題】
【０００７】
しかしながら、図２に示した従来の２筐体分離型デジタルＦＰＵ受信装置においては、コンスタレーション等の映像信号を受信制御部２０からしか出力することができない。
【０００８】
そのため、受信高周波部１０の方向調整を行う際には、受信高周波部１０に設けられたメーターやＬＥＤによる受信電界レベルなどのみを確認しながら行う必要があり、コンスタレーション等を確認しながらの方向調整が容易にできないという課題があった。
【０００９】
また、受信高周波部１０の方向調整の際に、受信制御部２０から出力されたコンスタレーション等の映像信号を受信高周波部１０で確認するためには、受信制御部２０と受信高周波部１０とを接続する同軸ケーブル３０の他に、受信制御部２０を受信高周波部１０の近くのモニターに接続するためのケーブルが必要になるという課題があった。
【００１０】
そこで、本発明の目的は、受信高周波部と受信制御部とを接続する同軸ケーブル以外のケーブルを準備することなく、受信高周波部にてコンスタレーション等の映像信号を確認することができる２筐体分離型デジタルＦＰＵ受信装置およびデジタルＦＰＵ受信方法を提供することにある。
【課題を解決するための手段】
【００１１】
上記目的を達成するために本発明は、
受信したＳＨＦ信号をＩＦ信号に変換する受信高周波部と、前記ＩＦ信号を復調する受信制御部と、前記受信高周波部と前記受信制御部とを接続する同軸ケーブルとを含む２筐体分離型デジタルＦＰＵ受信装置において、
前記受信制御部は、
前記ＩＦ信号をＩ信号およびＱ信号に直交復調する直交復調手段と、
前記Ｉ信号および前記Ｑ信号を、受信状況を表すための映像信号に変換する映像信号変換手段と、
前記映像信号を変調して変調信号を生成する変調手段と、
前記変調信号に直流電圧を多重した多重信号を、前記同軸ケーブルを介して前記受信高周波部に出力する手段とを有し、
前記受信高周波部は、
前記受信制御部から出力された前記多重信号から前記変調信号を分離する手段と、
前記多重信号から分離された前記変調信号を前記映像信号に復調する復調手段とを有することを特徴とするものである。
【００１２】
なお、前記映像信号は、コンスタレーションを表すための映像信号であっても良い。
【発明の効果】
【００１３】
以上説明したように本発明においては、受信制御部において、受信状況を表すための映像信号を変調して変調信号として同軸ケーブルを介して受信高周波部に出力し、受信高周波部において、受信制御部から出力された変調信号を映像信号に復調する構成であるため、以下に記載するような効果を奏する。
【００１４】
第１の効果は、受信高周波部で映像信号を確認することができるため、受信高周波部の方向調整を映像信号により受信状況を確認しながら行うことができるということである。
【００１５】
第２の効果は、受信制御部から受信高周波部に対し、映像信号を変調した変調信号を同軸ケーブルを介して出力するため、同軸ケーブル以外のケーブルを準備しなくとも、受信高周波部で映像信号により受信状況を確認することができるということである。
【発明を実施するための最良の形態】
【００１６】
以下に、本発明を実施するための最良の形態について図面を参照して説明する。
【００１７】
本発明の一実施形態による２筐体分離型デジタルＦＰＵ受信装置の構成について、図１を参照して説明する。
【００１８】
図１を参照すると、本実施形態による２筐体分離型デジタルＦＰＵ受信装置は、受信高周波部１０内にＦＭ復調器１４を設けた点と、受信制御部２０内にＦＭ変調器２９を設けた点とが図２の従来構成とは異なり、その他の構成要素は従来構成と同じである。
【００１９】
ＦＭ変調器２９は、映像信号変換器２７で変換されたコンスタレーション等の映像信号を変調して変調信号である送り返し用ＩＦ信号ｆ２を生成する。
【００２０】
分波・合成器２１は、受信高周波部１０から同軸ケーブル３０を介して入力された本線用ＩＦ信号ｆ１をＩＦ増幅部２２に出力するとともに、ＦＭ変調器２９で生成された送り返し用ＩＦ信号ｆ２に電源部２８で発生したＤＣ電圧を多重した多重信号を、同軸ケーブル３０を介して受信高周波部１０に出力する。
【００２１】
分波・合成器１３は、ＩＦ増幅器１２で増幅された本線用ＩＦ信号ｆ１を同軸ケーブル３０を介して受信制御部２０に出力するとともに、受信制御部２０から同軸ケーブル３０を介して入力された多重信号からＤＣ電圧と送り返し用ＩＦ信号ｆ２とを分離する。
【００２２】
ＦＭ復調器１４は、分波・合成器２１で分離された送り返し用ＩＦ信号ｆ２をコンスタレーション等の映像信号に復調する。
【００２３】
なお、上述した以外の構成要素は、図２の場合と同様の動作を行う。
【００２４】
以下に、本実施形態による２筐体分離型デジタルＦＰＵ受信装置の全体動作について説明する。
【００２５】
受信されたＳＨＦ信号は、周波数変換器１１で本線用ＩＦ信号ｆ１に変換される。この本線用ＩＦ信号ｆ１は、ＩＦ増幅器１２で所定のレベルに増幅された後、分波・合成器１３を通り、同軸ケーブル３０を介して受信制御部２０に出力される。
【００２６】
受信制御部２０に入力された本線用ＩＦ信号ｆ１は、分波・合成器２１を通り、ＩＦ増幅器２２で所定のレベルに増幅された後、Ａ／Ｄ変換器２３でデジタル信号に変換される。このデジタル信号は、直交復調器２４でＩ信号およびＱ信号に直交復調される。このＩ信号およびＱ信号は、データ復号器２５に入力され、データ復号器２５で元の信号に復号された後、デコーダ２６でＨＤ映像信号・音声信号に伸張される。デコーダ２６で伸張されたＨＤ映像信号・音声信号は、受信制御部２０の出力信号として出力される。
【００２７】
また、直交復調器２４で直交復調されたＩ信号およびＱ信号は、映像信号変換器２７にも入力される。映像信号変換器２７では、入力されたＩ信号およびＱ信号を、受信状況を表すためのコンスタレーション等の映像信号に変換する。映像信号変換器２７で変換された映像信号は、受信制御部２０の出力信号として出力される。この映像信号は、ＦＭ変調器２９にも入力される。ＦＭ変調器２９では、入力された映像信号を変調して送り返し用ＩＦ信号ｆ２を生成する。この送り返し用ＩＦ信号ｆ２は、合成・分離器２１でＤＣ電圧と多重され、多重信号として同軸ケーブル３０を介して受信高周波部１０に出力される。
【００２８】
受信高周波部１０に入力された多重信号は、分波・合成器１３で送り返し用ＩＦ信号ｆ２とＤＣ電圧とに分離され、このうち送り返し用ＩＦ信号ｆ２はＦＭ復調器１４に入力される。ＦＭ復調器１４では、入力された送り返し用ＩＦ信号ｆ２をＦＭ復調処理してコンスタレーション等の映像信号を復調する。ＦＭ復調器１４で復調されたコンスタレーション等の映像信号は、受信高周波部１０の出力信号として出力される。
【００２９】
上述したように本実施形態においては、受信制御部２０において、コンスタレーション等の映像信号を変調して変調信号として同軸ケーブル３０を介して受信高周波部１０に出力し、受信高周波部１０において、受信制御部２０から出力された変調信号をコンスタレーション等の映像信号に復調する。
【００３０】
よって、受信高周波部１０でコンスタレーション等の映像信号を確認することができるため、受信高周波部１０の方向調整を、コンスタレーション等の映像信号により受信状況を確認しながら行うことができる。
【００３１】
また、受信制御部２０から受信高周波部１０に対し、コンスタレーション等の映像信号を変調した変調信号を同軸ケーブル３０を介して出力するため、同軸ケーブル３０以外のケーブルを準備しなくとも、受信高周波部１０でコンスタレーション等の映像信号により受信状況を確認することができる。
【００３２】
なお、本実施形態においては、変調器および復調器として、ＦＭ変調器２９およびＦＭ復調器１４を設けているが、本発明はこれに限定されず、デジタル変調器およびデジタル復調器などで構成してもよい。
【図面の簡単な説明】
【００３３】
【図１】本発明の一実施形態による２筐体分離型デジタルＦＰＵ受信装置の構成を示すブロック図である。
【図２】従来の２筐体分離型デジタルＦＰＵ受信装置の一構成例を示すブロック図である。
【符号の説明】
【００３４】
１０    受信高周波部
１１    周波数変換器
１２    ＩＦ増幅器
１３    分波・合成器
１４    ＦＭ復調器
２０    受信制御部
２１    分波・合成器
２２    ＩＦ増幅器
２３    Ａ／Ｄ変換器
２４    直交復調器
２５    データ復号器
２６    デコーダ
２７    映像信号変換器
２８    電源部
２９    ＦＭ変調器
３０    同軸ケーブル
【図１】
2007134965.tif 000003
【図２】
2007134965.tif 000004